(57)【要約】    【課題】端末機を用いたデジタル映像の録画方法及び移動端末機を提供する。    【解決手段】移動通信端末機は、映像信号を受信し、映像として出力できるように復元する受信部と、前記受信部を介して受信したストリームデータ（Stream data）の電界強度（Field Strength）を検出する電界強度検出部と、前記受信部を介して受信したストリームデータの同期を検出するストリームデータ同期検出部と、前記電界強度検出部及び前記ストリームデータ同期検出部の少なくとも一方の検出信号に応じて録画動作（停止を含む）を制御する制御部と、前記制御部の制御信号に応じてストリームデータの損失情報を格納する第１メモリと、前記制御部の制御信号に応じてストリームデータの録画データを格納する第２メモリと、を含んで構成される。【選択図】図１
2006314092.tif 000002
【特許請求の範囲】
【請求項１】
映像信号を受信しながらストリームデータの損失情報を抽出する第１過程と、
前記映像信号を提供する映像データ提供サーバーに接続し、前記損失情報に基づいて損失したストリームデータをダウンロードする第２過程と、
を含んで構成されることを特徴とする端末機を用いたデジタル映像の録画方法。
【請求項２】
前記第１過程は、
受信した映像信号の電界強度（Field Strength）を第１基準レベルと比較する第１レベルチェック段階と、
前記ストリームデータの同期を第２基準レベルと比較する第２レベルチェック段階と、
前記受信した映像信号の電界強度が前記第１基準レベル未満または前記ストリームデータの同期が前記第２基準レベル未満であるストリームデータの情報を前記損失情報として記録する段階と、
を含んで構成されることを特徴とする請求項１に記載の端末機を用いたデジタル映像の録画方法。
【請求項３】
前記損失情報は、損失したストリームデータの位置、時間及び容量情報を含むことを特徴とする請求項２に記載の端末機を用いたデジタル映像の録画方法。
【請求項４】
前記損失情報は、電子番組ガイド（ＥＰＧ：Electronic Program Guide）のチャネル情報と時間情報とを用いて抽出されることを特徴とする請求項３に記載の端末機を用いたデジタル映像の録画方法。
【請求項５】
前記第２過程は、
前記損失情報を読み込む段階と、
前記映像データ提供サーバーに接続する段階と、
前記損失情報に基づいてチャネルを検索する段階と、
前記損失情報に基づいて、前記チャネルにおいてダウンロードする位置を検索する段階と、
検索した位置で前記損失したストリームデータをダウンロードする段階と、
を含んで構成されることを特徴とする請求項１に記載の端末機を用いたデジタル映像の録画方法。
【請求項６】
前記映像データ提供サーバーは、ＶＯＤサーバー（Video On Demand Server）であることを特徴とする請求項１〜５のいずれか一つに記載の端末機を用いたデジタル映像の録画方法。
【請求項７】
前記端末機は、デジタル放送を受信可能な移動端末機であることを特徴とする請求項１〜６のいずれか一つに記載の端末機を用いたデジタル映像の録画方法。
【請求項８】
映像信号を受信し、映像として出力できるように復元する受信部と、
前記受信部を介して受信したストリームデータ（Stream data）の映像信号の電界強度（Field Strength）を検出する電界強度検出部と、
前記受信部を介して受信したストリームデータの同期を検出するストリームデータ同期検出部と、
前記電界強度検出部及びストリームデータ同期検出部の少なくとも一方の検出信号に応じて録画動作を制御する制御部と、
前記制御部からの制御信号に応じてストリームデータの損失情報を格納する第１メモリと、
前記制御部からの制御信号に応じてストリームデータの録画データを格納する第２メモリと、
を含んで構成されることを特徴とする移動端末機。
【請求項９】
前記ストリームデータの損失情報は、損失したストリームデータの位置、時間及び容量情報を含むことを特徴とする請求項８に記載の移動端末機。
【請求項１０】
前記ストリームデータの損失情報は、電子番組ガイド（ＥＰＧ：Electronic Program Guide）のチャネル情報と時間情報とを用いて抽出されることを特徴とする請求項９に記載の移動端末機。
【請求項１１】
前記映像信号は、ＶＯＤサーバー（Video On Demand Server）から提供されることを特徴とする請求項８〜１０のいずれか一つに記載の移動端末機。
【請求項１２】
前記映像信号は、デジタル放送の映像信号であることを特徴とする請求項８〜１１のいずれか一つに記載の移動端末機。
【発明の詳細な説明】
【技術分野】
【０００１】
本発明は、端末機を用いたデジタル映像の録画方法及び移動通信端末機に関し、より詳細には、受信環境によって録画動作を制御し、受信環境が悪い状態では録画を停止するとともに録画できなかった損失データに関する損失情報を記録して、追加的にダウンロードできるようにする技術に関する。
【背景技術】
【０００２】
移動通信技術の発達に伴い、端末機を用いて、希望する時間に希望する映像データをリアルタイムで提供するビデオ・オン・デマンド（ＶＯＤ）サービスの利用が可能になってきた。
【発明の開示】
【発明が解決しようとする課題】
【０００３】
しかしながら、例えば移動端末機におけるビデオ・オン・デマンドサービスの利用においては、移動しながら映像データの録画を行う場合があり、録画中に受信環境が悪くなることがある。受信環境が悪くなると、受信データの品質が低下してしまうため、安定して高品質の映像情報が得られるようにする技術が望まれている。
【０００４】
本発明はこのような実情に鑑みてなされたものであり、その目的は、安定して高品質な映像データの録画を行うことのできる端末機を用いたデジタル映像の録画方法及び移動端末機を提供することにある。
【０００５】
本発明の他の目的は、移動端末機を用いたデジタル映像の録画時に、受信環境を録画動作（録画を停止することも含む）に反映できるようにすることにある。
【０００６】
本発明のさらに他の目的は、基準レベル以上の映像情報のみを記録できるデジタル映像の録画方法を提供することにある。
【課題を解決するための手段】
【０００７】
上記目的を達成するため、本発明に係る移動端末機は、映像信号を受信し、映像として出力できるように復元する受信部と、前記受信部を介して受信したストリームデータ（Stream data）の映像信号の電界強度（Field Strength）を検出する電界強度検出部と、前記受信部を介して受信したストリームデータの同期を検出するストリームデータ同期検出部と、前記電界強度検出部及び前記ストリームデータ同期検出部の少なくとも一方の検出信号に応じて録画動作を制御する制御部と、前記制御部の制御信号に応じてストリームデータの損失情報を格納する第１メモリと、前記制御部の制御信号に応じてストリームデータの録画データを格納する第２メモリと、を含んで構成される。
【０００８】
ここで、前記ストリームデータの損失情報は、例えば、損失したストリームデータの位置、時間及び容量情報を含む。
【０００９】
また、前記ストリームデータの損失情報は、例えば、電子プログラムガイド（ＥＰＧ：Electronic Program Guide）のチャネル情報と時間情報とを用いて抽出される。
【００１０】
さらに、前記映像信号は、ビデオ・オン・デマンドサーバー（Video On Demand Server）から提供されるものであってもよい。
【００１１】
さらにまた、前記映像信号は、例えば、デジタル放送の映像信号（すなわち、移動端末機がデジタル放送を受信可能な端末機）である。
本発明に係る端末機を用いたデジタル映像録画方法は、映像信号を受信しながらストリームデータの損失情報を抽出する第１過程と、前記映像信号を提供する映像データ提供サーバーに接続し、前記損失情報に基づいて損失したストリームデータをダウンロードする第２過程と、を含んで構成されることを特徴とする。
【００１２】
前記第１過程は、例えば、受信した映像信号の電界強度（Field Strength）を第１基準レベルと比較する第１レベルチェック段階と、前記ストリームデータの同期を第２基準レベルと比較する第２レベルチェック段階と、前記受信した映像信号の電界強度が前記第１基準レベル未満または前記ストリームデータの同期が前記第２基準レベル未満であるストリームデータの情報を前記損失情報として記録する段階と、を含んで構成される。
【００１３】
また、前記第２過程は、例えば、前記損失情報を読み込む段階と、前記映像データ提供サーバーに接続する段階と、前記損失情報に基づいてチャネルを検索する段階と、前記損失情報に基づいて、前記チャネルにおいてダウンロードする位置を検索する段階と、検索された位置で前記損失したストリームデータをダウンロードする段階と、を含んで構成される。
【００１４】
また、前記（ストリームデータの）損失情報は、例えば、損失したストリームデータの位置、時間及び容量情報を含む。
【００１５】
また、前記（ストリームデータの）損失情報は、例えば、電子番組ガイド（ＥＰＧ：Electronic Program Guide）のチャネル情報と時間情報とを用いて抽出される。
【発明の効果】
【００１６】
本発明に係る端末機を用いたデジタル映像の録画方法及び移動端末機によれば、ストリームデータの録画状態を維持しながら、受信した映像信号の電界強度またはストリームのデータの同期を検査し、少なくとも一方が所定の基準レベル未満であると受信環境が悪いと判断して録画を停止し、録画を停止したことによって損失したストリームデータを後でダウンロードするようにしたので、受信環境を反映させて録画動作を制御（すなわち、録画の実行と停止とを調節）することができ、この結果、移動中などにおいても、録画動作が突然中止されることがなく、安定して高品質のデータ録画が可能になる。
【発明を実施するための最良の形態】
【００１７】
以下、添付の図面を参照して、本発明の好適な実施形態について説明する。但し、図面に示され、あるいは、本明細書において説明される具体的な実施形態は、本発明を例示するためのもので、本発明の技術的思想とその核心構成及び作用を制限するものでないことに注意されたい。
【００１８】
図１は、本発明の一実施形態に係る移動端末機の概略構成を示すブロック図である。なお、この移動端末機はデジタル映像の録画機能を有している。
本実施形態に係る移動端末機は、映像信号を受信し、これを映像として出力できるように復元する受信部１０と、この受信部１０を介して受信したストリームデータ（stream data）の映像信号の電界強度（Field Strength）を検出する電界強度検出部２０と、受信部１０を介して受信したストリームデータの同期（Sync）を検出するストリームデータ同期検出部３０と、電界強度検出部２０及びストリームデータ同期検出部３０の少なくとも一方の検出信号に応じて録画動作（停止を含む）を制御する制御部４０と、この制御部４０の制御信号に応じてストリームデータの損失情報を格納する第１メモリ５０と、制御部４０の制御信号に応じてストリームデータの録画データを格納する第２メモリ６０と、を含んで構成される。
【００１９】
図２は、本実施形態において、デジタル映像を録画する際のストリームデータの損失情報の抽出する過程を示すフローチャートであり、図３は、本実施形態において、損失したストリームデータをダウンロードする過程を示すフローチャートである。
【００２０】
まず、ストリームデータの損失情報を抽出する過程について説明する（図２参照）。
受信部１０は映像信号を受信し（Ｓ１１）、電界強度検出部２０は、受信部１０を介して受信したストリームデータの映像信号の電界強度（Field Strength）を検出して制御部４０に提供する（Ｓ１２）。制御部４０は、検出された電界強度を所定の基準レベル（本発明の第１基準レベルに相当する）と比較し、検出された電界強度が所定の基準レベル以上であるか否かを判定する（Ｓ１３）。そして、検出された電界強度が所定の基準レベル未満であると、制御部４０は、該ストリームデータの情報を、ストリームデータの損失情報として第１メモリ５０に記録する（Ｓ１８）。
【００２１】
一方、Ｓ１３の比較結果、検出された電界強度が所定の基準レベル以上であると、ストリームデータの同期（sync）を検出する（Ｓ１４）。制御部４０では、検出されたストリームデータの同期を所定の同期基準レベル（本発明の第２基準レベルに相当する）と比較し、ストリームデータの同期が所定の同期基準レベル以上であるか否かを判定する（Ｓ１５）。そして、ストリームデータの同期が所定の同期基準レベル以上であると、制御部４０は、受信環境が良好な状態であると判断し、受信したストリームデータを第２メモリ６０へと転送して録画を行う（Ｓ１６）。一方、ストリームデータの同期が所定の同期基準レベル未満であると、制御部４０は、受信環境が悪い状態であると判断し、電界強度が所定の基準レベル未満のときと同様に、該ストリームデータの情報を、ストリームデータの損失情報として第１メモリ５０に記録する（Ｓ１８）。
以上のＳ１１〜Ｓ１６を、録画終了信号が入力され、あるいは、録画対象であるストリームデータが存在しなくなるまで繰り返し行う（Ｓ１７）。
【００２２】
ここで、制御部４０は、電子番組ガイド（ＥＰＧ：Electronic Program Guide）にあるチャネル情報と時間情報とを用いて、損失したストリームデータの位置（チャネル情報を含む）、時間及び容量情報などをストリームデータの損失情報として第１メモリ５０に格納させる。つまり、映像ストリームデータの録画は、受信環境が良好な状態でのみ行われ、録画中に例えば移動等によって受信環境のよくない地域を通過するような場合には、映像ストリームデータの録画を停止して、そのときのストリームデータ、すなわち、損失ストリームデータの情報を損失情報として記録する。そして、再び受信環境が良好な地域になったら映像ストリームデータの録画を再開するようにして、録画を完全には中止せずに連続的な録画が実行されるようにする。
【００２３】
次に、第１メモリ５０に格納された損失情報を用いて、録画されなかった部分を補完する損失ストリームデータをダウンロードする過程について説明する（図３参照）。
【００２４】
まず、第１メモリ５０に格納された損失情報を読み込み（Ｓ２１）、その後、ストリームデータを提供する映像データ提供サーバー（例えば、ＶＯＤサーバー）に接続する（Ｓ２２）。
【００２５】
次に、読み込んだ損失情報に基づいてチャネルを検索し（Ｓ２３）、検索したチャネルにおいてダウンロードする位置を検索する（Ｓ２４）。
【００２６】
そして、検索された位置で損失した部分（損失ストリームデータ）をダウンロードする（Ｓ２５）。以上のＳ２２〜Ｓ２５を、損失情報、すなわち、損失したストリームデータが存在しなくなるまで繰り返し行う（Ｓ２６）。
本実施形態によれば、映像ストリームデータを録画しているときに、受信環境が悪くなると映像ストリームデータの録画を停止するとともに、その録画を行わなかった部分（損失ストリームデータ）に関する情報を損失情報として記録する。その後、受信環境が良好な状態となると、映像ストリームデータの録画を再開する。そして、録画を停止した部分については、映像データ提供サーバーに接続し、記録した損失情報に基づいて損失したストリームデータ（損失部分）をダウロードして録画を行う。これにより、移動端末機のように移動しながら映像ストリームデータを録画するような場合でも、録画動作が中止されずに連続的な録画が可能となるとともに、受信環境が良好な状態でのみ録画を行うので高品質で安定した録画を行うことが可能となる。
【００２７】
なお、本発明に係るデジタル映像の録画方法は、デジタル放送等のデジタル映像を受信可能ないずれの端末機にも適用することができることはいうまでもない。すなわち、本発明は、国家や地域ごとに異なる送受信方式を有するさまざまなデジタル放送を受信可能な端末機にも適用可能である。
【００２８】
以上説明した内容から当業者なら本発明の技術思想を逸脱しない範囲で種々の変更及び修正が可能であるということは明らかである。したがって、本発明は、この明細書で詳細に説明した実施形態に限定されないことを理解すべきである。
【図面の簡単な説明】
【００２９】
【図１】本発明の実施形態に係る移動端末機の概略構成を示すブロック図である。
【図２】ストリームデータの損失情報を抽出する過程を示すフローチャートである。
【図３】損失したストリームデータをダウンロードする過程を示すフローチャートである。
【符号の説明】
【００３０】
１０…受信部
２０…電界強度検出部
３０…ストリームデータ同期検出部
４０…制御部
５０…第１メモリ
６０…第２メモリ
【図１】
2006314092.tif 000003
【図２】
2006314092.tif 000004
【図３】
2006314092.tif 000005